(57)【特許請求の範囲】
【請求項１】
貯蔵品を載置する積載棚が設けられている冷蔵室と、
前記冷蔵室内の天井側に設けられ、光を照射する複数の発光ダイオードと、
を備え、
前記複数の発光ダイオードは、
前記冷蔵室の前面側から背面側に向かう方向に並ぶように設けられ、
その光軸が前記冷蔵室の前面側に向けられているとともに、最上段の前記積載棚と交差するように配置されている
ことを特徴とする冷蔵庫。
【請求項２】
前記冷蔵室の前面に設けられ、貯蔵品を載置するドアポケットが設けられた扉を備え、
前記冷蔵室は、
天井面の上部に冷気が流れる風路が形成され、
前記天井には、
前記ドアポケットに前記風路の冷気が供給されるように、最上段の前記積載棚の前縁よりも前側に前記風路に連通する吹き出し口が形成されている
ことを特徴とする請求項１に記載の冷蔵庫。
【請求項３】
前記複数の発光ダイオードの光の照射範囲を拡大するためのランプカバーが、前記複数の発光ダイオードを覆うように設けられている
ことを特徴とする請求項１又は２に記載の冷蔵庫。
【請求項４】
前記天井は、前記冷蔵室の前面側から背面側に沿って、高さが低くなるように傾斜しており、その傾斜面に前記複数の発光ダイオードが設けられている
ことを特徴とする請求項１〜３のいずれか一項に記載の冷蔵庫。
【請求項５】
庫内の運転状態を判断する制御手段を備え、
前記制御手段は、庫内の運転状態を、前記複数の発光ダイオードを点滅させて、または、前記複数の発光ダイオードの光量を変化させて報知する
ことを特徴とする請求項１〜４のいずれか一項に記載の冷蔵庫。
【請求項６】
最上段の前記積載棚は、
その後縁と前記冷蔵室の背面との間に、前記複数の発光ダイオードの光が通過する隙間を有するように設けられている
ことを特徴とする請求項１〜５のいずれか一項に記載の冷蔵庫。
【請求項７】
前記複数の発光ダイオードは、
前記冷蔵室の前面側から背面側に沿って、複数列設けられている
ことを特徴とする請求項１〜６のいずれか一項に記載の冷蔵庫。
【請求項８】
前記冷蔵室を開放又は遮蔽する複数の扉の内、開かれた前記扉側の列の前記発光ダイオードを発光させる
ことを特徴とする請求項７に記載の冷蔵庫。
【発明の詳細な説明】
【技術分野】
【０００１】
本発明は、冷蔵庫に関するものである。
【背景技術】
【０００２】
従来、冷蔵庫の冷蔵室及び冷蔵室の扉に設けられているドアポケット等の照明に白熱電球を用いるのが主流であった。近年においては、発熱量、消費電力の点で有利な発光ダイオード（以後、ＬＥＤという）を用いたものが各種提案されている。
【０００３】
その中に、ＬＥＤを、冷蔵室の奥側に光を照射する技術が提案されている（例えば、特許文献１）。この技術は、ＬＥＤを冷蔵室の天井に配置して、ユーザーが冷蔵室の奥側を視認しやすくするとともに、ＬＥＤの光りが最も強い光軸を冷蔵室の奥側に向け、ユーザーが直接見ることでまぶしく感じることを抑制するようになっている。
【０００４】
また、白熱電球と比べるとＬＥＤは、発光面積が小さく、指向性が強いので、照射範囲が狭いという特性を持っている。それに伴い、冷蔵室及びドアポケット等に置かれる貯蔵品を確実に照射するため、１つ当たりの明るさが大きい高性能なＬＥＤを数多く設置してしまうと、冷蔵庫の製造コストが高くなってしまう。そこで、高性能なＬＥＤを冷蔵室の天井に、間隔をあけて２つだけ配置した技術が提案されている（例えば、特許文献２参照）。  
【先行技術文献】
【特許文献】
【０００５】
【特許文献１】特開２００９−７９８５７号公報（例えば、４頁）
【特許文献２】特開２００７−５７１５７号公報（例えば、第８図）
【発明の概要】
【発明が解決しようとする課題】
【０００６】
特許文献１に記載の技術では、ＬＥＤを、冷蔵室の奥側に傾けて、冷蔵室の天井に配置しているので、冷蔵室の前面側の光の量が少なくなってしまい、ユーザーが冷蔵室の前面側を視認しにくくなってしまっていた。
【０００７】
特許文献２に記載の技術では、発光箇所が２箇所なので、当該ＬＥＤの直下に貯蔵品が置かれた場合には、ＬＥＤの光が遮られてしまい冷蔵室及び冷蔵室の前方に光が充分に届かなくなってしまっていた。また、当該ＬＥＤの光が広がりきらない場合には、ＬＥＤの光が届きにくい場所ができてしまい、ユーザーが冷蔵室及び冷蔵室の前面側を視認しにくくなってしまっていた。
【０００８】
本発明は、以上のような課題を解決するためになされたもので、ユーザーが冷蔵室及び冷蔵室の前面側を視認しやすい冷蔵庫を提供することを目的としている。
【課題を解決するための手段】
【０００９】
本発明に係る冷蔵庫は、貯蔵品を載置する積載棚が設けられている冷蔵室と、冷蔵室内の天井側に設けられ、光を照射する複数の発光ダイオードと、を備え、複数の発光ダイオードは、冷蔵室の前面側から背面側に向かう方向に並ぶように設けられ、その光軸が冷蔵室の前面側に向けられているとともに、最上段の積載棚と交差するように配置されている。
【発明の効果】
【００１０】
本発明に係る冷蔵庫によれば、上記のようにＬＥＤが設けられているので、ユーザーが、冷蔵室及び冷蔵室の前面側を視認しやすくなっている。
【図面の簡単な説明】
【００１１】
【図１】本発明の実施の形態１に係る冷蔵庫の概略側断面図である。
【図２】図１に示す冷蔵室の正面図及び上面図である。
【図３】図１に示す冷蔵庫に設けられているＬＥＤの発光特性を表す図である。
【図４】図１に示す冷蔵庫の冷蔵室及び扉の上面図及び側断面図である。
【図５】図１に示す冷蔵庫に設けられているドアポケットを冷却する風路の上面図及び側断面図である。
【図６】本発明の実施の形態２に係る冷蔵庫にランプカバーを設けてＬＥＤの照射範囲を拡大した場合の説明図である。
【図７】本発明の実施の形態３に係る冷蔵庫の駆動回路例を示す図である。
【図８】従来の冷蔵庫の異常（運転状態）を報知する手段の説明図である。
【図９】図７に示す冷蔵庫がＬＥＤの点滅によって冷蔵庫の異常を報知する説明図である。
【図１０】本発明の実施の形態４に係る冷蔵庫のＬＥＤの明るさと点灯時間の関係の説明図である。
【図１１】図１０に示す冷蔵庫の異常とデューティー比の関係の説明図である。
【図１２】本発明の実施の形態５に係る冷蔵庫の正面図である。
【図１３】図１２に示す冷蔵庫の扉の開閉時における照明の説明図である。
【図１４】本発明の実施の形態６に係る冷蔵庫の正面図である。
【発明を実施するための形態】
【００１２】
以下、本発明の実施の形態を図面に基づいて説明する。
実施の形態１．
図１は、本発明の実施の形態１に係る冷蔵庫１ａの概略側断面図である。図２は、図１に示す冷蔵室２の正面図及び上面図である。図３は、図１に示す冷蔵庫１ａに設けられているＬＥＤ９の発光特性を表す図である。図４は、図１に示す冷蔵庫１の冷蔵室２及び扉６の上面図及び側断面図である。図５は、図１に示す冷蔵庫１ａに設けられている貯蔵品を冷却する風路２５が設けられている場合の概要構成例図である。なお、図１を含め、以下の図面では各構成部材の大きさの関係が実際のものとは異なる場合がある。
【００１３】
［冷蔵庫１ａの構成］
まず、冷蔵庫１ａの構成について説明する。
冷蔵庫１ａは、図１（ａ）に示すように、貯蔵品（食品等）を収納するための空間を有する冷蔵室２、切替室３、野菜室４及び冷凍室５を有している。冷蔵庫１ａは、貯蔵品を冷蔵、冷凍する機能を有しており、特に、冷蔵室２の天井１３側にＬＥＤ９が設けられているものである。
【００１４】
冷蔵庫１ａは、略直方体の形状をしているものとして説明するが、特に、限定されるものではない。ここで、冷蔵庫１ａの設置方向に基づき、冷蔵室２から扉６（後述して説明する）に向かう方向（側）を前方向（前面側）と定義し、扉６から冷蔵室２に向かう方向（側）を後方向又は奥行き方向（背面側）と定義する。また、冷蔵室２の天井１３とは、冷蔵室２内の天井１３であるものとして説明する。また、鉛直方向とは、冷蔵庫１が設置される床面と略垂直な方向である。
【００１５】
冷蔵室２は、貯蔵品を収納するための空間を有し、該貯蔵品を冷蔵するものである。冷蔵室２は、略直方体の形状をしているものとして説明するが、特に限定されるものではない。この冷蔵室２には、貯蔵品を積載するための複数の積載棚８が、冷蔵室２の天井１３（又は下面）と略平行となるように設けられている。積載棚８は、図１及び図２に示すように、冷蔵室２を区画して、貯蔵品の収納性を高めるものである。この積載棚８の形状は、略長方形の板材であるものとして説明するが、特に、限定されるものではない。なお、冷蔵庫１ａにおいて、積載棚８は、冷蔵室２内の側面等に支持されているものとして説明するが、鉛直方向に可動するようになっていてもよい。
【００１６】
冷蔵室２の前面には、ヒンジ式の扉６が設けられており、この扉６の開閉によって、冷蔵室２と冷蔵庫１ａ外との間の開放／遮断が行われる。この扉６には、貯蔵品を載置するためのドアポケット１１が設けられている。扉６は、右扉６Ａ及び左扉６Ｂを有している。ここで、冷蔵庫１ａを正面視したときに、右側にある扉を右扉６Ａとし、左側にある扉を左扉６Ｂとする。これらの右扉６Ａ及び左扉６Ｂは、ヒンジ（図示省略）によって、冷蔵室２の前面両側部にそれぞれ連結されている。また、扉６の冷蔵室２側には、貯蔵品を収納するためのドアポケット１１が設けられている。なお、右扉６Ａ及び左扉６Ｂは、大きさが異なっていてもよい（正面視した時に左右非対称）。
【００１７】
図１に示すように、冷蔵室２の天井１３は、前面側から背面側に向かって、鉛直方向の高さが低くなるように、所定の角度βの傾きを有している。なお、冷蔵室２の天井１３が所定の角度βで傾く代わりに、後述するＬＥＤ９の発光面が所定の角度βで傾いていてもよい。また、冷蔵室２の天井１３は、ＬＥＤ９の光軸１２が積載棚と交差していれば、曲線的に傾斜していてもよいものとする。図２に示すように、この冷蔵室２の天井１３に、ＬＥＤ９が設けられており、扉６を開くと、このＬＥＤ９が点灯し、冷蔵室２及びドアポケット１１に光が照射されるようになっている。ＬＥＤ９は、ユーザーが貯蔵品を視認するための可視光を発するものである。図２に示すように、冷蔵室２の前面側から背面側の奥行き方向に向かって縦列に並べられているＬＥＤ９を１列と定義すると、ＬＥＤ９は、２列からなる。また、ＬＥＤ９は、冷蔵室２を正面視したときに、例えば冷蔵室２を左右に２等分する線Ａで分けられる領域に１列ずつ設けられているものとして説明する。ただし、右扉６Ａ及び左扉６Ｂの大きさが異なる場合には、線Ａが、右扉６Ａ及び左扉６Ｂを閉じたときに合わさる位置にくるものとする。なお、ＬＥＤ９の列数は、特に、限定されるものではない。また、１列当たりのＬＥＤ９の個数は、２つ以上であるものとする。
【００１８】
図３に示すように、ＬＥＤ９は、発光に係る光の指向性が強いことが知られている。すなわち、ＬＥＤ９の発光面とは垂直となる光軸１２方向に対する光度が最も高く、光軸１２から離れるほど光度が低下する。ここでは、光軸１２における光度に対して５０％以上の光度で照射する範囲をＬＥＤ９の有効照射範囲αとする。ただし、ＬＥＤ９が発した光は、有効照射範囲α以外の部分に、光が照射されないわけではない。図３では、光軸１２方向を０°とした場合に±約５０°が有効照射範囲αに含まれている。有効照射範囲αとは、ＬＥＤ９が、冷蔵室２を照明するにあたって実質的に有効といえる範囲を規定するものである。
【００１９】
切替室３は、貯蔵品を収納するための空間を有し、該貯蔵品を冷蔵したり冷凍したりするものである。この切替室３には、引き出し式の扉７ａが設けられている。この扉７ａの開閉によって、切替室３と冷蔵庫１ａ外との間の開放／遮断が行われる。
【００２０】
野菜室４は、貯蔵品を収納するための空間を有し、特に、野菜を冷蔵するのに適しているものである。この野菜室４には、引き出し式の扉７ｂが設けられている。この扉７ｂの開閉によって、切替室３と冷蔵庫１ａ外との間の開放／遮断が行われる。
【００２１】
冷凍室５は、貯蔵品を収納するための空間を有し、特に、該貯蔵品を冷凍するものである。この冷凍室５には、引き出し式の扉７ｃが設けられている。この扉７ｃの開閉によって、冷凍室５と冷蔵庫１ａ外との間の開放／遮断が行われる。
【００２２】
［所定の角度βの範囲、ＬＥＤ９と積載棚８の位置関係］
図４に示すように、冷蔵室２の天井１３の所定の角度βは、ＬＥＤ９の光軸１２が、冷蔵室２の前面側に向かい、且つ、扉６から冷蔵室２に向かう方向において、全てのＬＥＤ９の光軸１２が、最上段の積載棚８の前縁Ｂ１より前方向（冷蔵室２から扉６に向かう方向）に、ＬＥＤ９の光軸がでないようになっている。つまり、全てのＬＥＤ９は、光軸１２が冷蔵室２の前面側に向くように設けられ、且つ、最上段の積載棚８と交差するように配置されているということである。また、この所定の角度βは、冷蔵室２の貯蔵スペースを圧迫しないように、例えば１°〜２０°程度とするとよい。なお、最上段の積載棚８とは、積載棚８の内で、鉛直方向に一番高い位置に設けられているものである。また、積載棚８の前縁Ｂ１とは、図４に示すように、冷蔵庫１を正面視した時に、手前側の縁に相当する。
【００２３】
［ドアポケット１１に送り込む冷却風について］
図５は、図１に示す冷蔵庫１に設けられているドアポケット１１を冷却する風路２５の上面図及び側断面図である。図５に示すように、冷蔵室２の天井１３には、冷蔵室２内に冷気を送り込むための風路２５が設けられるような構成にしてもよい。この風路２５は、送り込まれた冷気を、吹き出し口２６から、特に、ドアポケット１１に導くものである。ここで、吹き出し口２６は、風路２５を伝って送り込まれた冷気を冷蔵室２内に放出する開口部である。この吹き出し口２６の位置は、冷蔵室２から扉６に向かう方向に対して、例えば、最上段の積載棚８よりも前方に形成されているとよい。風路２５を介して吹き出し口２６から供給される冷気によって、ドアポケット１１の貯蔵品だけでなく、ＬＥＤ９を冷却することも期待できる。つまり、ＬＥＤ９の発熱によりＬＥＤ９の光度が低下してしまうことが抑制されるとともに、ＬＥＤ９の寿命が短くなってしまうのを抑制することができる。また、ＬＥＤ９は、白熱電球と比較すると発熱しにくいことから、風路２５を流れる冷気が加温されにくいことは言うまでもない。
【００２４】
［冷蔵庫１ａの有する効果］
冷蔵庫１ａは、複数のＬＥＤ９を光源としているために、ＬＥＤ９の内の１つの直下に貯蔵品が置かれて光がさえぎられても、その他の光が遮られていないＬＥＤ９によって冷蔵室２及び冷蔵室２の前面側（ドアポケット１１等を含む）の視認性が低下することが抑制される。また、複数のＬＥＤ９を光源としているために、冷蔵室２内の光が届きにくい領域が少なくなり、冷蔵室２（ドアポケット１１や表示装置、冷蔵庫１ａ外等も含む）の視認性が低下することが抑制されることは言うまでもない。また、全てのＬＥＤ９は、その光軸１２が冷蔵室２の前面側に向かい、且つ、最上段の積載棚８と交差するように配置されているので、ユーザーにまぶしさを感じさせることを低減させるとともに、冷蔵室２だけでなく、ドアポケット１１等にも光を照射することができる。つまり、冷蔵庫１ａは、上記のようにＬＥＤ９が設けられているので、冷蔵室２及び冷蔵室２の前面側を視認しやすくなっている。
【００２５】
実施の形態２.
［ＬＥＤ９の光の拡大］
図６は、本発明の実施の形態２に係る冷蔵庫１ｂにランプカバー１５を設けてＬＥＤ９の照明範囲を拡大した場合の説明図である。なお、本実施の形態２では、実施の形態１と同一部分には同一符号とし、実施の形態１との相違点を中心に説明するものとする。
【００２６】
ランプカバー１５は、ＬＥＤ９が発した光を屈折させて、照明範囲を拡大するものである。このランプカバー１５は、ＬＥＤ９が発する光の進行方向に設けられているとよい。
ランプカバー１５には、図６に示すように、例えば冷蔵庫１ｂの左右の側面に略垂直な方向に凹凸が形成されており、ＬＥＤ９から照射された光がランプカバー１５に到達すると、この凹凸によって屈折して、特に、冷蔵室２から扉６に向かう方向に光が広がるようになる。また、ランプカバー１５に、図６に示すように、例えば扉６と略垂直な方向に凹凸が形成されると、ＬＥＤ９から照射された光が、特に、冷蔵庫１の左右の側面と垂直な方向に広がるようになる。つまり、冷蔵庫１ｂは、ランプカバー１５によって、照明範囲を拡大することができる。なお、ランプカバー１５に形成される凹凸の形状や方向は、視認性を特に向上させたい方向や位置等に合わせて、複数の凹凸パターンを組み合わせてもよい。
【００２７】
［冷蔵庫１ｂの有する効果］
冷蔵庫１ｂは、冷蔵庫１ａの有する効果に加え、ＬＥＤ９が発した光を屈折させて照明範囲を拡大するランプカバー１５が設けられているので、照明範囲が拡大して、冷蔵室２及び冷蔵室２の前面側の視認しやすくなる。
【００２８】
実施の形態３.
［冷蔵庫１ｃのＬＥＤ９の駆動回路の説明］
図７は、本発明の実施の形態３に係る冷蔵庫１ｃの駆動回路例を示す図である。図８は、従来の冷蔵庫の異常（運転状態）を報知する手段の説明図である。図９は、冷蔵庫１ｃがＬＥＤ９の点滅によって冷蔵庫１ｃの異常を報知する説明図である。なお、本実施の形態３では、実施の形態１、２と同一部分には同一符号とし、実施の形態１、２との相違点を中心に説明するものとする。図７に示すように、白熱電球を照明として採用している冷蔵庫の場合には、この白熱電球の点灯／消灯は、リレー１９等の機械接点による入／切をして切り替える。一方、冷蔵庫１ｃは、ＬＥＤ９を照明として採用しているので、図７に示すように、このＬＥＤ９の点灯／消灯を、トランジスタ２０といった半導体素子等を用いて行うことができる。白熱電球に対してＬＥＤ９の発光（駆動）に係る電圧・電流が小さいので、冷蔵庫１ｃは、消費電力を抑えることができる。また、白熱電球に対してＬＥＤ９の点灯／消灯するための駆動部品は、比較的安価であるとともに、高寿命である。さらに、白熱電球に用いられるリレー１９より、ＬＥＤ９に用いられるトランジスタ２０の方が、点灯／消灯の切り換えが速い。
【００２９】
トランジスタ２０の点灯／消灯の切り換えが速いことを利用して、ＬＥＤ９の点灯／消灯を速い周期で繰り返すことで、冷蔵庫１ｃは、ユーザーに冷蔵庫１ｃの異常を報知することができるようになっている。具体的には、冷蔵庫１ｃに異常が生じた場合には、異常の種類に応じてＬＥＤ９の点滅回数を制御すればよい。
【００３０】
［冷蔵庫１ｃの異常の報知方法１］
図８に示すように、従来の冷蔵庫では、冷蔵庫に設けた制御手段（図示省略）が、冷蔵庫に異常が生じたものと判断すると、例えば、冷蔵庫の扉に設置された操作パネル２１に設けた液晶表示部２２にあらかじめ定められた番号等を表示したり、図８のように操作パネル２１に設けられた異常表示用ＬＥＤ２３の点滅回数等で、冷蔵庫の異常をユーザーに報知していた。冷蔵庫１ｃは、従来の冷蔵庫のように、液晶表示部２２及び異常表示用ＬＥＤ２３が設けられていているものとして説明するが、設けられていなくてもよい。
【００３１】
図９に示すように、冷蔵庫１ｃは、ＬＥＤ９の点滅回数によって、ユーザーに冷蔵庫１ｃの異常を報知するようになっている。例えば、番号が「Ｅ３４」で規定されている異常を表すために、制御手段（図示省略）は、ＬＥＤ９を０．５秒間隔で３回点滅させてから、所定の時間点灯させて、その後ＬＥＤ９を０．５秒間隔で４回点滅させるという動作を繰り返し行うようにすればよい。なお、上記の異常の種類としては、扉６が長時間開いてしまっている、温度センサー（図示省略）が働かなくなってしまっている等が考えられる。
【００３２】
［冷蔵庫１ｃの有する効果］
冷蔵庫１ｃは、冷蔵庫１ａの有する効果に加え、白熱電球ではなくＬＥＤ９を用いているので、消費電力を抑えることができ、また、駆動回路のコストが安価であるためにコストアップを抑制することができ、さらに、高寿命であり、点灯／消灯の切り換えが速いものとなっている。
【００３３】
実施の形態４.
［冷蔵庫１ｄの異常の報知方法２］
図１０は、本発明の実施の形態４に係る冷蔵庫１ｄのＬＥＤ９の明るさと点灯時間の関係の説明図である。図１１は、図１０に示す冷蔵庫１ｄの異常とデューティー比の関係の説明図である。なお、本実施の形態４では、実施の形態１〜３と同一部分には同一符号とし、実施の形態１〜３との相違点を中心に説明するものとする。実施の形態３において述べたように、トランジスタ２０といった半導体素子等を用いたＬＥＤ９の駆動回路は、ＬＥＤ９の点灯／消灯の切り換えを速く行うことができる。これにより、例えば、ＬＥＤ９を数ｋＨｚの周波数で点灯／消灯を繰り返すと、人間の目の錯覚によりＬＥＤ９が点滅しているようには見えず、明るさが低減して見えるようになる。
【００３４】
図１０に示すように、ＬＥＤ９の明るさは、単位時間（周期）に対する点灯時間の比率（以後、デューティー比という）に比例することが知られている。したがって、例えばデューティー比を徐々に増減させることで、ＬＥＤ９の明るさが、少しずつ変化するような視覚効果が得られる。本実施の形態４の冷蔵庫１ｄは、ＬＥＤ９の明るさをデューティー比を調整することで徐々に変化させて、冷蔵庫１ｄの異常を報知するものである。つまり、図１１に示すように、ＬＥＤ９が点灯している状態から急に消灯するのではなく、ＬＥＤ９の明るさを徐々に増減させるようにすることで、急激な点灯／消灯によってユーザーが驚いてしまうことを抑制しながら、冷蔵庫１ｄの異常を報知することができる。
【００３５】
［冷蔵庫１ｄの照明の明るさの調整］
また、例えば、操作パネル２１からＬＥＤ９の明るさの調整指示を行えるようにして、冷蔵庫１ｄのユーザーが、ＬＥＤ９の明るさを設定できるようにしてもよい。これにより、例えば、冷蔵庫１ｄの設置されている場所が明るい場合には、ＬＥＤ９の光をそれほど必要としないため、ＬＥＤ９の明るさを小さくして使用するようにし、また、冷蔵室２の貯蔵品を整理する等、冷蔵室２内を明るくしたいような場合には、明るさを上げるように調整すればよい。つまり、冷蔵庫１ｄは、ＬＥＤ９を用いているために、デューティー比を調整して明るさを変化させることができるので、消費電力を低減することができるようになっている。
【００３６】
［冷蔵庫１ｄの有する効果］  
冷蔵庫１ｄは、冷蔵庫１ａの有する効果に加え、ＬＥＤ９の明るさを徐々に増減させるように、デューティー比を調整するので、ユーザーが驚いてしまうことを抑制しながら、冷蔵庫１ｄの異常を報知することができる。
【００３７】
実施の形態５.
［左右の扉の開閉状態におけるＬＥＤ９の点灯／消灯］  
図１２は、実施の形態５に係る冷蔵庫１ｅの正面図である。図１３は、図１２に示す冷蔵庫１ｅの右扉６Ａ、左扉６Ｂの開閉時における照明の説明図である。なお、本実施の形態５では、実施の形態１〜４と同一部分には同一符号とし、実施の形態１〜４との相違点を中心に説明するものとする。冷蔵庫１ｅは、右扉６Ａの開閉状態を検知するための右ドアスイッチ２４Ａと、左扉６Ｂの開閉状態を検知するための左ドアスイッチ２４Ｂを有している。図１２に示すように、右ドアスイッチ２４Ａ及び左ドアスイッチ２４Ｂが設けられる位置は、特に、限定されるものではないが、例えば、右ドアスイッチ２４Ａが右扉６Ａに設けられ、左ドアスイッチ２４Ｂが左扉６Ｂに設けられているとよい。
【００３８】
図１３に示すように、右ドアスイッチ２４Ａ及び左ドアスイッチ２４Ｂを設けることによって、右扉６Ａをユーザーが開いた場合には、ＬＥＤ９の内で冷蔵室２の右側を照明するものを点灯させて、左扉６Ｂをユーザーが開いた場合には、ＬＥＤ９の内で冷蔵室２の左側を照明するものを点灯させるようにすることができる。つまり、ユーザーは、右扉６Ａ及び左扉６Ｂの両方を開閉して使用するものとは限らないので、上記のように、ＬＥＤ９を点灯させるようにすれば、冷蔵庫１ｅの消費電力を低減することができる。さらに、実施の形態３で述べたように、白熱電球に対してＬＥＤ９の駆動装置は、トランジスタ２０といったリレー１９に比べて安価な半導体素子等によって点灯／消灯を行うことができるため、右扉６Ａが開かれた場合には冷蔵室２の右側を点灯させて、左扉６Ｂが開かれた場合には冷蔵室２の左側を点灯させるために、駆動装置をそれぞれに設けてもコストアップしにくくなっている。  
【００３９】
［冷蔵庫１ｅの有する効果］
冷蔵庫１ｅは、冷蔵庫１ａの有する効果に加え、右扉６Ａをユーザーが開いた場合には、ＬＥＤ９の内で冷蔵室２の右側を照明するものを点灯させて、左扉６Ｂをユーザーが開いた場合には、ＬＥＤ９の内で冷蔵室２の左側を照明するものを点灯させるようにしているので、消費電力を低減することができる。
【００４０】
実施の形態６．
［背面側のＬＥＤ９の配置について］
図１４は、本発明の実施の形態６に係る冷蔵庫１ｆの正面図である。なお、本実施の形態６では、実施の形態１〜５と同一部分には同一符号とし、実施の形態１〜５との相違点を中心に説明するものとする。図１４に示すように、最上段の積載棚は、その後縁Ｂ２と冷蔵室２の背面との間に、ＬＥＤ９の光が通過する隙間を有するように設けられている。これにより、冷蔵庫１ｆは、ＬＥＤ９の光が、最上段の積載棚８の後縁Ｂ２より後方向から冷蔵室２全体に広がるようになっている。なお、積載棚８の後縁Ｂ２とは、冷蔵庫１を正面視した時に、積載棚８の背面側の縁に相当する。
【００４１】
［冷蔵庫１ｆの有する効果］
冷蔵庫１ｆは、最上段の積載棚８が、その後縁Ｂ２と冷蔵室２の背面との間にＬＥＤ９の光が通過する隙間を有するように設けられているので、冷蔵室２全体を視認しやすくなっている。
【００４２】
なお、実施の形態１〜６に記載されている内容を適宜組み合わせてもよいことは言うまでもない。
【符号の説明】
【００４３】
１ａ  冷蔵庫、１ｂ  冷蔵庫、１ｃ  冷蔵庫、１ｄ  冷蔵庫、１ｅ  冷蔵庫、１ｆ  冷蔵庫、２  冷蔵室、３  切替室、４  野菜室、５  冷凍室、６  扉、６Ａ  右扉、６Ｂ  左扉、７ａ  引き出し式の扉、７ｂ  引き出し式の扉、７ｃ  引き出し式の扉、８  積載棚、９  ＬＥＤ、１１  ドアポケット、１２  光軸、１３  天井、１５  ランプカバー、１９  リレー、２０  トランジスタ、２１  操作パネル、２２  液晶表示部、２３  異常表示用ＬＥＤ、２４Ａ  右ドアスイッチ、２４Ｂ  左ドアスイッチ、２５  風路、２６  吹き出し口。
【図１】
0005419823.tif 000002
【図２】
0005419823.tif 000003
【図３】
0005419823.tif 000004
【図４】
0005419823.tif 000005
【図５】
0005419823.tif 000006
【図６】
0005419823.tif 000007
【図７】
0005419823.tif 000008
【図８】
0005419823.tif 000009
【図９】
0005419823.tif 000010
【図１０】
0005419823.tif 000011
【図１１】
0005419823.tif 000012
【図１２】
0005419823.tif 000013
【図１３】
0005419823.tif 000014
【図１４】
0005419823.tif 000015